(57)【特許請求の範囲】
【請求項１】
少なくとも浄水カートリッジ、該浄水カートリッジの２次側に配された浄水側流路を備えた浄水器であって、止水時間が設定値に達する毎に、抗菌性を有する金属イオンを含む水を前記浄水側流路に吐出する交換可能な抗菌ユニットを備えていることを特徴とする浄水器。
【請求項２】
前記止水時間が設定値に達する毎で規定される時間の設定は、変更または選択できることを特徴とする請求項１に記載の浄水器。
【請求項３】
前記抗菌ユニットは、水中に電極を設置して電圧を印加することによって電極から金属イオンを溶出させるものであることを特徴とする請求項１または２に記載の浄水器。
【請求項４】
前記抗菌ユニットは、前記抗菌ユニットを通過する水の流量を検知し、検知した流量に応じて水中に設置した電極に電圧を印加して金属イオンを溶出させるものであることを特徴とする請求項１〜３のいずれかに記載の浄水器。
【請求項５】
抗菌性を有する金属イオンが、銀イオン、銅イオン、および亜鉛イオンからなる群から選ばれる少なくとも一種の金属イオンであることを特徴とする請求項１〜４のいずれかに記載の浄水器。
【請求項６】
抗菌性を有する金属イオンが銀イオンであることを特徴とする請求項５に記載の浄水器。
【請求項７】
浄水側流路に吐出する水に含まれる銀イオン濃度を０．００５〜０．１ｍｇ／Ｌに制御する手段を備えていることを特徴とする請求項６に記載の浄水器。
【発明の詳細な説明】
【技術分野】
【０００１】
本発明は、水道水などの原水に含まれる残留塩素や、臭い、濁り、有害物質等を除去する浄水器に関し、特に家庭のシンク近傍で使用される据え置き型やシンクの下に設置されるアンダーシンク型など比較的大きな浄水器に関する。
【背景技術】
【０００２】
浄水器は、水道水などの原水に含まれる残留塩素を各種のろ材によって分解・除去しカルキ臭を取り除いた浄水を生成しているが、水道水の殺菌作用を担っている残留塩素を取り除いているために、浄水が滞留すると雑菌や藻類等の微生物が繁殖しやすく、不衛生になる問題があった。このため、使用開始時には毎回滞留水を捨ててから使用することが推奨されているが、捨てる必要がある滞留水の適量がわかりにくく、また、使用する度に滞留水を捨てるのは使用者にとっては手のかかる作業であった。そこで、特許文献１〜３などに記載されたように、滞留水を捨てる機構（捨て水機構）つきの浄水装置として、タイマーによって一定時間おきに浄水機内の滞留水を吐出するようにしたものが提案されている。
【０００３】
しかし、これらの方法によってもやはり浄水が滞留するため、かなり頻繁に滞留水を吐出しなければならず、浄水を無駄にするばかりでなく、ろ材の寿命を短くしてしまう欠点があった。そこで、特許文献４に記載されたように浄水側の流路に原水につながるバイパス水路を設け、残留塩素を含む原水で浄水側の流路をフラッシングすることで滞留水を更新し、消毒を行うものや、特許文献５に記載されたように浄水水路から分岐したバイパス経路に塩素系酸化合物や酸素系化合物などの制菌性添加剤を添加する制菌性添加筒を配設した浄水器が提案されている。
【０００４】
しかし、これらの方法によっても塩素系酸化合物から得られる残留塩素は経時的に減少し消毒性が低下していくため、ある一定以上の頻度でフラッシングを行わなければならない。また、殺菌に使用する残留塩素こそ、浄水器で取り除こうとしている物質の一つであり、誤って浄水中に混入すれば、不快な味や臭いの原因となる。
【０００５】
一方で、浄水器のろ材に銀添着活性炭などを使用し、抗菌性を示す銀を含んだ浄水とすることで、細菌の増殖を抑える試みもなされているが、特に銀添着活性炭は活性炭の表面に物理化学的な方法で銀を固定しているために、使用開始時の銀の溶出量は大きいが、通水するにしたがって溶出量が減少する傾向にあった。また、銀を添着する量に限界があるため、特に据え置き型やアンダーシンク型のような比較的ろ材の寿命が長い浄水器に使用する場合、活性炭のろ材としての吸着などの寿命は残っているが、銀の溶出量が低下して抗菌性を示さないという問題、すなわち、ろ材の使用期間中に抗菌剤の溶出量を一定に保つことができないという問題があった。
【特許文献１】実開平４−１１８１８７号公報
【特許文献２】特開平６−１８２３３３号公報
【特許文献３】特開平６−２８５４５７号公報
【特許文献４】特許第３３９８６６１号公報
【特許文献５】特開２００３−２７５７５２号公報
【発明の開示】
【発明が解決しようとする課題】
【０００６】
本発明は、上記従来技術の課題を解決し、使用者の手を煩わせることも、浄水を無駄に使用することもなく、残留塩素に代表される抗菌剤の混入による浄水の異味・異臭を最低限に抑えながら、ろ材の使用期間中抗菌剤の量を一定に保つことで、微生物の増殖を抑えた浄水を得ることの出来る浄水器を提供することを目的とするものである。
【課題を解決するための手段】
【０００７】
上記課題を解決するための本発明は次の（１）〜（４）を特徴とするものである。
【０００８】
（１）少なくとも浄水カートリッジ、該浄水カートリッジの２次側に配された浄水側流路を備えた浄水器であって、止水時間が設定値に達する毎に、抗菌性を有する金属イオンを含む水を前記浄水側流路に吐出する交換可能な抗菌ユニットを備えていることを特徴とする浄水器。
（２）前記止水時間が設定値に達する毎で規定される時間の設定は、変更または選択できることを特徴とする（１）に記載の浄水器。
（３）前記抗菌ユニットは、水中に電極を設置して電圧を印加することによって電極から金属イオンを溶出させるものであることを特徴とする（１）または（２）に記載の浄水器。
（４）前記抗菌ユニットは、前記抗菌ユニットを通過する水の流量を検知し、検知した流量に応じて水中に設置した電極に電圧を印加して金属イオンを溶出させるものであることを特徴とする（１）〜（３）のいずれかに記載の浄水器。
【０００９】
（５）抗菌性を有する金属イオンが、銀イオン、銅イオン、および亜鉛イオンからなる群から選ばれる少なくとも一種の金属イオンであることを特徴とする（１）から（４）のいずれかに記載の浄水器。
【００１０】
（６）抗菌性を有する金属イオンが銀イオンであることを特徴とする（５）に記載の浄水器。
【００１１】
（７）浄水側流路に吐出する水に含まれる銀イオン濃度を０．００５〜０．１ｍｇ／Ｌに制御する手段を備えていることを特徴とする（６）に記載の浄水器。
【発明の効果】
【００１２】
本発明の浄水器は、浄水側流路に、所定時間経過毎、もしくは止水時間が設定値に達する毎に、抗菌性を有する金属イオンを含む水を浄水側流路に吐出させることができるので、浄水側流路中の滞留水を更新するとともに、流路内を抗菌することができ、抗菌剤の混入による浄水の異味・異臭を最低限に抑えながら、微生物の増殖を抑えた浄水を得ることができる。
【発明を実施するための最良の形態】
【００１３】
以下に本発明の実施の形態を、家庭のキッチンのシンクの下に置くアンダーシンク型浄水器を例に取り、図を用いて説明する。
【００１４】
本発明の浄水器１０は図１に示すように、浄水カートリッジ１と吐出口２と抗菌ユニット６などから構成されている。操作スイッチ３を操作することにより、図示していないが操作スイッチ内に含まれる弁を開き、原水側流路４から水道水が供給され、浄水カートリッジ１を通って水道水中に含まれる消毒用の残留塩素などが取り除かれ、抗菌ユニット６と前記浄水カートリッジ１の２次側に配された浄水側流路５を通って、吐出口２より浄水が通水される。
【００１５】
浄水側流路５には通水・止水を判別し、かつ流量に対応する信号を発する検出部７を設け、検出部７からの信号に基づいて演算を行う制御部８を設ける。
【００１６】
検出部７は磁石を埋設した水車と、磁石の回転に応じて開閉する磁気スイッチとそれらの支持部材からなり、浄水が流れることにより水車が回転し、それに応じた磁界変化により磁気スイッチが作動して、その信号が制御部８に伝達される。
【００１７】
制御部８はＣＰＵが設けられた回路基板と、回路基板を収納するためのホルダと、回路基板を固定するための枠から構成され、図では省略した電源部からの電源供給を受け、検出部７からの信号に基づいて通水停止から経過した時間（「止水時間」と称する。）の演算を行い、当該止水時間が予め設定された時間（設定値）に達したら操作スイッチ３の弁を開く。予め設定された時間経過毎に抗菌性を有する金属イオンを含む水を浄水側流路５に吐出させることで、使用者の手を煩わせることなく、吐出口２から外部の微生物が浄水側流路５を通って浄水カートリッジ１内に進入するのを防止するとともに、浄水側流路５内の滞留水を更新し、必要最低限の捨て水のみで、微生物の繁殖を抑えることができる。すなわち、抗菌性を有する金属イオンを含まないとすれば、外部から進入した微生物が増殖する前に頻繁に滞留水を吐出する必要があるが、抗菌性を有する金属イオンを含むことで、吐出の頻度を大幅に減らすことができるのである。
【００１８】
あるいは、下記変形実施の欄にも記載のように、止水時間が設定値に達する毎に抗菌性を有する金属イオンを含む水を吐出させる代わりに、制御部８にタイマーを内蔵して浄水の通水・止水に関わらず所定時間経過毎に抗菌性を有する金属イオンを含む水を吐出させても良い。この場合、検出部７で浄水の通水・止水を判別する必要がないため、より簡単な機構で金属イオンを含む水を吐出することができる。
【００１９】
金属イオンを含む水を吐出させる時間の設定は、各家庭の使用状況に応じて変更または選択できるようになっている。特に図示していないが、金属イオンを含む水を吐出させる時間の設定は押しボタン式で、表示は操作スイッチ部に一体化しており、わざわざシンク下の浄水カートリッジ部分を確認する必要はない。シンク下の浄水カートリッジ１の近傍に設置すると確認に手間がかかるが、シンク上のスペースを広く取ることができ、台所の使い勝手は向上する。さらに、同時に浄水カートリッジ１の寿命を表示すると、交換時期がわかりやすく使い勝手がよい。
【００２０】
抗菌ユニット６は、水路内に抗菌剤を充填したもので、浄水中に抗菌物質である金属イオンを溶出させることができる。粒状の抗菌剤を充填する、抗菌剤を練りこんだ透過性の膜を設置する、抗菌剤を添着したまたは練り込んだ不織布などの抗菌性繊維集合体を設置する、抗菌剤を含む樹脂製焼結フィルターを設置する、抗菌作用を持つ金属性の網を設置する、などさまざまな形態が可能である。水中の抗菌作用を保つために、カートリッジ式として交換可能である。抗菌ユニット６を浄水カートリッジ１と一体にせず、別々に交換可能とすることによって、抗菌ユニット６のみ、または浄水カートリッジ１のみが寿命に達したとしても、片方だけを交換すればよいので、まだ抗菌性能を有していたり、浄化性能を有していたりするのに廃棄しなければならないという無駄がなくなる。
【００２１】
抗菌ユニット６としては、水中に電極を設置して電圧を印加することによって電極から金属イオンを溶出させるものでもよい。電極に銀板を使用して電圧を印加すると、陽極ではＡｇ→Ａｇ＋＋ｅ−の反応が起こり、水中に銀イオンが溶出し、それに伴い電極が消費される。一方陰極では、電極の材質によらず、Ｈ＋＋ｅ−→１／２Ｈ２の反応が起こり、水素が発生するか、または水中に含まれるＮａ＋、Ｃａ２＋、Ｍｇ２＋などの金属イオンが電極にスケールとなって析出する。電極を銀もしくは銅、亜鉛、またはそれらを含む合金からなるものを使用することによって、抗菌剤の種類を選択することができる。銀を選択すれば低い電圧で高い抗菌性を得ることができる。また、銅を選択すれば防カビ性を得ることができる。亜鉛は銀と異なる抗菌スペクトルを有するために、銀とは異なる細菌への抗菌効果があり、銀と同時に使用することで抗菌効果を高めることができる。
【００２２】
さらに、浄水器内の充填物や容器の接水面に抗菌物質を含むことも好ましい。たとえば銀ゼオライトを練り込んだ樹脂を浄水カートリッジの成形部材や浄水側流路の樹脂ホースに使用することで、浄水器内部に滞留した水中に繁殖する細菌の増殖を抑えて、さらに安心な浄水を得ることができる。
【００２３】
抗菌性を有する金属イオンとは、飲料水の基準を満たしながら抗菌性を有する銀イオン、銅イオン、亜鉛イオンがあげられる。抗菌性を有する金属イオンは次亜塩素酸ナトリウム等の塩素系酸化合物や、過炭酸ナトリウム等の酸素系化合物などの殺菌剤と異なり、細菌の増殖を抑える効果があっても水に異味・異臭を与えることなく、高濃度にならなければ安心して飲用できる。これらの金属イオンはそれぞれ単独でも、混合しても抗菌性を有しているが、比較的低濃度で抗菌性を有するのは銀イオンである。銅イオンの抗菌性は銀イオンのそれより弱いが、防かび性には優れている。亜鉛イオンは、銀イオンと異なる抗菌スペクトルを有し、銀とは異なる細菌に抗菌効果がある。
【００２４】
また、本発明の浄水器には、浄水側流路５に吐出する水に含まれる銀イオン濃度を０．００５〜０．１ｍｇ／Ｌの範囲に制御できる手段を有することが好ましい。銀イオン濃度を０．００５ｍｇ／Ｌ以上に制御することにより、一般細菌数を効果的に減少させることができ、かつ、ＥＰＡ（アメリカ環境保護局）の基準に沿って０．１ｍｇ／Ｌ以下とすることで人体への影響をなくすことができるからである。また、配管内への付着や、水温の変動により銀イオン濃度が変動する可能性があることから、抗菌効果を確実にし、飲料水としての安全性を保つために、０．０１〜０．０８ｍｇ／Ｌの範囲に制御できることがより好ましい。さらには、前記抗菌性を有する金属イオンとして銀イオンを用いることが好ましい。
【００２５】
銀イオンをかかる濃度範囲とするための手段としては、抗菌ユニットの流入口または流出口のいずれかに通過する水量を調節する弁を設け、一定流量に対して一定量の抗菌剤を添加する方法、あるいは流量を検知し、検知した流量に比例した量の抗菌剤を添加する方法、または、流量を検知し、検知した流量に応じて水中に設置した電極に電圧を印加して金属イオンを溶出させる方法などがあるが、流量を検知し、検知した流量に応じて水中に設置した電極に電圧を印加して銀イオンを溶出させる方法が好ましく採用される。
【００２６】
なお、上述の通り、銀イオン濃度を制御して一般細菌数を減少させることにより、一般細菌数を、厚生労働省令第１０１号（水質基準に関する省令）に基づき、１００ｃｆｕ／ｍＬ以下とすることが望ましく、より望ましくは１０ｃｆｕ／ｍＬ以下とすることである。
【００２７】
抗菌ユニット６に水中に電極を設置して電圧を印加するものを用いる場合、いわゆるファラデーの法則に基づき、電気分解によって生成される物質の物質量は流れた電気量（電流の強さと時間との積）に比例するため、単位時間あたりの銀イオンなどの金属陽イオンの溶出量は、電流が一定となるように電極に印加する電圧を調整すれば、金属陽イオンの溶出量を安定させることができる。また電極に印加する電圧の極性を周期的に反転させると、水中のカルシウムなどのスケールが電極に析出するのを防ぐことができ、銀イオンの溶出量を安定させ、電極を均一に消耗させることができる。電流値を一定にする手段としては、抗菌ユニット６の動作を制御する回路部分に定電流回路を組み込めばよい。
【００２８】
さらに、電圧の極性を周期的に反転させる場合、安定して銀イオンなどの金属陽イオンを溶出することができる点で、１回あたりの各極性を維持する印加時間は０．１秒〜６０秒が好ましい。１回の印加時間が０．１秒より短いと、いったん流出した銀イオンなどの金属イオンの極性が反転したときに逆反応を起こし、電極に戻るためである。一方、１回の印加時間が６０秒よりも長いと、電圧が印加されている間に電極にスケールが析出し、電流が流れにくくなってしまう。また、電極への合計の印加時間は通水流量と浄水側流路の滞水量によって設定すればよい。
【００２９】
浄水カートリッジ１は、充填されているろ材が寿命に達した際に、寿命に達した部分のみ交換できるカートリッジ式のものがよい。充填されているろ材としては中空糸膜、活性炭や、ゼオライトなどの金属ケイ酸塩、ヒドロキシアパタイトなどのリン酸カルシウム、イオン交換樹脂を含むイオン交換体、キレート樹脂などの各種吸着剤のいずれかまたはそれらの組み合わせであってもよい。各種ろ材を使用することによって水中の鉄さびなどの濁り成分となる微粒子、残留塩素、トリハロメタンなどの有機物、または鉛などの金属イオン等を取り除くことができる。さらに水をおいしくし、健康によいと考えられるミネラル分などを放出する材料を充填してもよい。
【００３０】
また、浄水カートリッジ１は電気分解により酸性水やアルカリ水を供給することのできるいわゆるアルカリイオン整水器であってもよい。
【００３１】
本発明は以下のように変形実施できる。
【００３２】
（１）前述の実施態様では、吐出口から浄水のみを通水するものについて記載したが、単一の吐出口から水道水などの原水と浄水を選択して通水するものや、給湯器などに接続して、原水と浄水だけでなくお湯を通水するものでもよい。
【００３３】
（２）前述の実施態様では、原水が必ず浄水カートリッジ１を経由して浄水側流路に通水するものについて記載したが、図２に示したように、原水側流路１４から抗菌ユニット１６へのバイパス水路１９を設け、浄水カートリッジ１１を通らずに抗菌ユニット１６により抗菌性を有する金属イオンを含んだ水が浄水側水路１５に通水するものでもよい。浄水側流路１５を殺菌する場合は、浄水カートリッジ１１を経由せずに抗菌ユニット１６のみに通水することで、浄水カートリッジ１１の寿命を延ばすことができる。
【００３４】
（３）前述の実施態様では、操作スイッチ３によって流路の切換、遮蔽をおこない、浄水カートリッジ１に、常時水道水圧がかからない、いわゆるＩＩ形浄水器について記載したが、水道水圧が常時付加するＩ形浄水器であってもよい。いずれの場合においても、浄水や、抗菌剤を含む水が逆流しないように、適宜逆止弁などを流路内に設置することが好ましい。
【００３５】
（４）前述の実施態様では、直接浄水側流路５の通水状態を検出したが、操作スイッチ３の開閉を検出して、制御部８に信号を伝達してもよい。検出部７の通水状態を検出する部材を削減し、操作スイッチ３と一体化することで、コスト削減を図ることができる。さらに、止水時間が設定値に達する毎に抗菌性を有する金属イオンを含む水を吐出させるかわりに、このような検出部７を設置せず、制御部８にタイマーを内蔵し、所定時間経過毎に抗菌性を有する金属イオンを含む水を吐出させてもよい。かかる構成とすることで、既に説明したとおり、さらに簡単な機構で、抗菌性を有する金属イオンを吐出させることが可能になる。
【００３６】
（５）前述の実施態様では、検出部７には磁石を埋設した水車と、磁石の回転に応じて開閉する磁気スイッチを使用したが、水車や磁気スイッチの素材や形状を限定するものではなく、磁石を埋設した弁と磁気スイッチ、減速歯車機構と電気的接点を用いる方法や、ダイヤフラムなど通水によって変形する部材と電気的接点を用いる方法、ＬＥＤとフォトトランジスタから構成されているフォトセンサなど、通水、止水の判別ができるものであればよい。
【００３７】
（６）前述の実施態様では、押しボタン式のスイッチで金属イオンを含む水を吐出させる設定時間を変更又は選択できるようにしているが、切り換えレバー式、ダイヤル式、タッチパネル式などでもよい。さらに、ＬＣＤやＬＥＤの視覚的な表示に加えて、ブザーやスピーカーを設けて、発信音や音声を同時に発すれば、使用者はさらにわかりやすくなる。
【００３８】
（７）本浄水器に使用する電源部は特に限定していないが、家庭用電源などの交流電源でもよいし、電池などの直流電源を使用してもよい。家庭用電源を使用した場合、電池の消耗により装置が停止することはなくなる。また、電池を使用する場合、コンセントを使用する必要がなく、使用場所の制限が少なくなる。このときは、電池寿命を表示する機能を備えていると、交換の目安がわかりやすい。
【実施例】
【００３９】
本発明を、以下の実施例を用いてさらに詳細に説明する。なお、実施例、比較例において各測定結果は以下の方法に従って行った。
【００４０】
［銀イオン濃度（ｍｇ／Ｌ）］
ＩＣＰ発光分光分析法  日本水道協会編：「上水試験方法」，ｐ３７０（２００１）の記載の方法に従って測定を行った。
【００４１】
［一般細菌（ｃｆｕ／ｍＬ）］
標準寒天培地法  日本水道協会編：「上水試験方法」，ｐ６０５（２００１）の記載の方法に従って測定を行った。
【００４２】
＜実施例１＞
図１に示した浄水器１０について、浄水カートリッジ１はポリスルホン中空糸膜モジュールおよびクラレケミカル社製活性炭クラレコールＧＷを５５０ｍＬ充填し、抗菌ユニット６は２０×５０×１ｍｍの９９．９９％純度の銀製平板からなる２枚の電極が６ｍｍ離れて内蔵してある銀イオン生成器を使用した。
【００４３】
１日７時間以上４Ｌ／分で水温２０℃、ｐＨ６．９の水道水を連続通水し、停止時間中は制御部８のタイマー設定によって通水停止から１時間後に抗菌ユニット６が、電極間に流れる電流が４ｍＡとなるように、１０秒間作動して銀イオンの入った水を４Ｌ／分で１０秒間吐出し、その後、４時間おきに同じ吐出を繰り返すように設定した。試験開始からの総通水量が１０００Ｌ，５０００Ｌ，１００００Ｌにおいて、通水を一旦停止し、抗菌ユニット６が作動したときに通水される水のサンプリングを行ったが、銀濃度は順に、０．０５４ｍｇ／Ｌ、０．０５５ｍｇ／Ｌ、０．０５４ｍｇ／Ｌであった。
【００４４】
また、それぞれのサンプルに１２００ｃｆｕ／ｍＬとなるように黄色ブドウ球菌を添加し、２０℃で２４時間静置後、サンプル中の一般細菌数を測定したところ、いずれも１０ｃｆｕ／ｍＬ以下であり、抗菌性も有していた。
【００４５】
＜比較例１＞
実施例１と同じ浄水器１０を用い、浄水カートリッジ１はポリスルホン中空糸膜モジュールおよびクラレケミカル社製活性炭クラレコールＧＷを５００ｍＬ、クラレケミカル社製抗菌活性炭クラレコールＴ−Ｓを５０ｍＬ充填し、抗菌ユニット６は電極を取り外して通電しない状態とし、制御部８のタイマー設定によって停止時間中は、実施例１と同じ時間間隔で吐出を繰り返し、同じ原水および通水条件で通水を行った。同様にして１０００Ｌ，５０００Ｌ，１００００Ｌのサンプリングを行ったところ、１０００Ｌの銀濃度は０．０３４ｍｇ／Ｌであったが、５０００Ｌ、１００００Ｌの銀イオン濃度は０．００５ｍｇ／Ｌ未満であった。
【００４６】
また、それぞれのサンプルに１２００ｃｆｕ／ｍＬとなるように黄色ブドウ球菌を添加し、２０℃で２４時間静置後、サンプル中の一般細菌数を測定したところ、１０００Ｌのサンプルは１０ｃｆｕ／ｍＬ以下で抗菌性を有していたが、５０００Ｌと１００００Ｌのサンプルは１２００ｃｆｕ／ｍＬ以上であり、抗菌性は認められなかった。
【００４７】
＜実施例２＞
浄水器２０を用い、抗菌ユニット１６に株式会社シナネンゼオミック製ＮＪ２ＬＥ−１（銀ゼオライト含有ポリエチレンペレット）を１００ｇ充填したカ―トリッジを使用して、実施例１と同様の通水条件で停止時間中はバイパス水路１９から抗菌ユニット１６に４Ｌ／分で５秒間吐出するようにして試験を実施した。実施例１と同様に１０００Ｌ，５０００Ｌ，１００００Ｌのサンプリングを行ったところ、銀濃度は順に、０．０３４ｍｇ／Ｌ、０．０１４ｍｇ／Ｌ、０．０１２ｍｇ／Ｌであった。
【００４８】
また、それぞれのサンプルに１２００ｃｆｕ／ｍＬとなるように黄色ブドウ球菌を添加し、２０℃で２４時間静置後、サンプル中の一般細菌数を測定したところ、いずれも１０ｃｆｕ／ｍＬ以下であり、抗菌性も有していた。
【図面の簡単な説明】
【００４９】
【図１】本発明の一実施形態を示す浄水器の概略図である。
【図２】本発明の他の実施形態を示す浄水器の概略図である。
【符号の説明】
【００５０】
１    浄水カートリッジ
２    吐出口
３    操作スイッチ
４    原水側流路
５    浄水側流路
６    抗菌ユニット
７    検出部
８    制御部
１０  浄水器
１１  浄水カートリッジ
１２  吐出口
１３  操作スイッチ
１４  原水側流路
１５  浄水側流路
１６  抗菌ユニット
１７  検出部
１８  制御部
１９  バイパス水路
２０  浄水器
【図１】
0005168764.tif 000002
【図２】
0005168764.tif 000003